(57)【要約】【課題】ガラス扉が閉じたときに傾いた状態とならないように調整機能の付いたガラス扉の回転支持装置を提供する。【解決手段】出入り口に取り付けられるベースプレート１と、ベースプレート１に取り付けられた回転支持金具８と、回転支持金具８の空洞部１０に内蔵されるカム１１と、カム１１および回転支持金具８に挿通された軸７に回転可能に支持されてガラス扉４の一側部を挟む２枚の羽根板５，６とからなり、２枚の羽根板５，６の内、一方の羽根板５の内面にはカム１１の一端側の凹部１２に当接する球体１８およびこの球体１８を凹部１２に押し付けるばね１９を収納するケーシング２０を備え、回転支持金具８の両側には空洞部１０に位置するカム１１の他端側のねじ受け用凹部１５に合致するねじ孔１６が形成されており、このねじ孔１６にねじ１７が螺合されて、回転支持金具８に対するカム１１の角度をねじ１７の締め付けにより保持するようにした。【選択図】図５
2008115604.tif 000002
【特許請求の範囲】
【請求項１】
出入り口に取り付けられるガラス扉の回転支持装置であって、固定側部材と、この固定側部材に取り付けられた回転支持金具と、この回転支持金具に内蔵されるカムと、このカムおよび回転支持金具に挿通された軸に回転可能に支持されてガラス扉の一側部を挟む２枚の羽根板とからなり、前記カムは一端側に凹部が形成されているとともに、この一端側の凹部から連続するように両側に円弧面が形成され、またこのカムの他端側にはねじ受け用凹部が形成されており、前記回転支持金具の両側にはカムの前記他端側のねじ受け用凹部に合致するねじ孔が形成されており、このねじ孔にねじが螺合されて、固定側部材および回転支持金具に対するカムの角度をねじの先端が前記カムの他端側のねじ受け用凹部に当接する締め付けにより保持するように構成され、前記２枚の羽根板の内、一方の羽根板の内面には前記カムの一端側の凹部に当接する円弧面を持つ当接部材およびこの当接部材を一端側の凹部に押し付けるばねを収納するケーシングを備え、このケーシングの軸受け部に前記軸の上下両端を固定し、ガラス扉の一側部をケーシングに嵌め込んだ状態で両羽根板を結合させるようにしたことを特徴とするガラス扉の回転支持装置。
【発明の詳細な説明】
【技術分野】
【０００１】
本発明は、ガラス扉を回転可能に支持するためのガラス扉の回転支持装置に関するものである。
【背景技術】
【０００２】
従来、ガラス扉を回転可能に支持するために例えば特許文献１に開示されているような蝶番が知られている。この蝶番は固定体側に取り付けられる固定体側プレートと、扉側に取り付けられる扉側プレートとからなり、扉側プレートは固定体側プレートに対して回動自在に取り付けられ、ガラス扉を前記扉側プレートと扉側裏プレートとの間で挟持するように構成されている。
【特許文献１】特開２０００−１７９２２０号公報
【発明の開示】
【発明が解決しようとする課題】
【０００３】
上記特許文献１に開示されているような蝶番にあっては、固定体における固定体側プレートの取り付け面が建て付けや取り付けの寸法誤差などにより僅かでも傾いている場合、扉側プレートと扉側裏プレートとの間で挟持されているガラス扉が固定体における固定体側プレートの取り付け面に対して９０度の角度で閉じた状態においてガラス扉は傾いた状態となり、その傾きを修正すべく扉側プレートとガラス扉との間および扉側裏プレートとガラス扉との間の少なくともどちらかに角度修正板を介在させ、ガラス扉の角度調整を時間をかけて行なわねばならないという問題があった。
【０００４】
本発明の目的は、このような課題を解決するものであり、ガラス扉の取り付け面が傾いていてもガラス扉が閉じたときに傾いた状態とならないように調整機能の付いたガラス扉の回転支持装置を提供することにある。
【課題を解決するための手段】
【０００５】
本発明の請求項１に記載のガラス扉の回転支持装置は、出入り口に取り付けられるガラス扉の回転支持装置であって、固定側部材と、この固定側部材に取り付けられた回転支持金具と、この回転支持金具に内蔵されるカムと、このカムおよび回転支持金具に挿通された軸に回転可能に支持されてガラス扉の一側部を挟む２枚の羽根板とからなり、前記カムは一端側に凹部が形成されているとともに、この一端側の凹部から連続するように両側に円弧面が形成され、またこのカムの他端側にはねじ受け用凹部が形成されており、前記回転支持金具の両側にはカムの前記他端側のねじ受け用凹部に合致するねじ孔が形成されており、このねじ孔にねじが螺合されて、固定側部材および回転支持金具に対するカムの角度をねじの先端が前記カムの他端側のねじ受け用凹部に当接する締め付けにより保持するように構成され、前記２枚の羽根板の内、一方の羽根板の内面には前記カムの一端側の凹部に当接する円弧面を持つ当接部材およびこの当接部材を一端側の凹部に押し付けるばねを収納するケーシングを備え、このケーシングの軸受け部に前記軸の上下両端を固定し、ガラス扉の一側部をケーシングに嵌め込んだ状態で両羽根板を結合させるようにしたことを特徴とする。
【発明の効果】
【０００６】
以上のように、本発明のガラス扉の回転支持装置は、固定側部材および回転支持金具に対するカムの角度をねじの先端が前記ねじ受け用凹部に当接する締め付けにより保持するように構成されているので、ガラス扉の取り付け面が傾いていてもガラス扉が羽根板に取り付けられた状態でカムの角度を微調整することにより、建物側の出入り口を１枚のガラス扉で閉じる場合はガラス扉の他側部を出入り口枠に対してずれることなく位置合わせでき、２枚のガラス扉で閉じる場合はガラス扉の他側部同士がずれることなく位置合わせできるものであり、前記従来のように角度修正板を介在させて角度調整するような場合に比べて作業効率を大幅に向上させることができる。
【発明を実施するための最良の形態】
【０００７】
以下、本発明の実施の形態を、図面に基づき具体的に説明する。
先ず、図１〜図５に示す第１の実施の形態について説明すると、１は建物に形成された出入り口におけるガラス扉の取り付け面２にビス３止めにて取り付けられる固定側部材としてのベースプレートで、このベースプレート１の中央部にはガラス扉４の一側部を挟む２枚の羽根板５，６を鉛直方向に向く軸７を介して回転自在に支持するための回転支持金具８がベースプレート１の背面側よりビス９止めにて取り付けられている。この回転支持金具８は前端部が開口して内部が空洞状になっており、この空洞部１０の中にカム１１が内蔵されて、前記軸７はこのカム１１および回転支持金具８を上下に貫通して一方の羽根板５側に繋がっている。前記カム１１は一端側に湾曲状の凹部１２が形成されていて、この湾曲状の凹部１２から両側に連続して外側に膨らむ円弧面１３ａ，１３ｂが形成され、またこのカム１１は他端側に向ってほぼＶ状に窄まっており、この窄まり部１４の後端部であるカム１１は他端側には左右両側にねじ受け用凹部１５，１５が上下に２箇所形成されている。図面に示す実施の形態では左右両側のねじ受け用凹部１５，１５は貫通状態で互いに連通している。前記回転支持金具８の両側には空洞部１０に位置するカム１１のねじ受け用凹部１５，１５に合致するねじ孔１６，１６がそれぞれ上下に２箇所形成されており、この各ねじ孔１６に六角孔付きのねじ１７が螺合される。このねじ１７の先端は尖っており、前記ねじ受け用凹部１５に当接するようになっている。そして、ベースプレート１および回転支持金具８に対するカム１１の角度をねじ１７の先端が前記ねじ受け用凹部１５に当接する締め付けにより保持するようになっている。
【０００８】
前記２枚の羽根板５，６の内、一方の羽根板５の内面には前記カム１１の湾曲状の凹部１２に当接する上下２つの球体１８およびこの球体１８を湾曲状の凹部１２に押し付けるばね１９を収納するケーシング２０が一体に形成され、両羽根板５，６はビス２１止めにて結合される。なお、前記ケーシング２０にはばね１９を収納した後、ばね１９の飛び出しを防止してばね１９を球体１８側に押し付けるための蓋板２２がビス２３止めされる。また、前記軸７の上下両端は前記回転支持金具８の上下から挟むように形成されたケーシング２０の軸受け部２４に差し込まれ、ケーシング２０にビス２５止めされる。さらに、前記他方の羽根板６を一方の羽根板５にビス２１止めする前にガラス扉４の一側部に前記ケーシング２０の外周に合う形に切除された開口部４ａをケーシング２０に嵌め込み、他方の羽根板６をガラス扉４に当接させて両羽根板５，６をビス２１止めにて結合させるのである。そのとき、ガラス扉４と両羽根板５，６との間にはガラス扉４の傷付き防止のためにゴムプレート２６が介在される。
【０００９】
上記構成において、ガラス扉４の取り付け面２が何ら傾斜せずに正常な状態にある場合はカム１１をベースプレート１に対して直角に向かせて前記回転支持金具８の両側からのねじ１７の螺入量が均等となるように締め付けることによりガラス扉４は閉じた状態において取り付け面２に対して直角に向き、ガラス扉４は上から見て傾くことなく正規の状態で閉じられる。ガラス扉４を開く場合はガラス扉４を２枚の羽根板５，６と一体に前記軸７を中心として回転させることにより前記ばね１９で付勢された球体１８が湾曲状の凹部１２から抜け出てカム１１の何れか一方の円弧面１３ａまたは１３ｂに圧接しながら回転しほぼ９０度の角度で開かせることができる。
【００１０】
次に、ガラス扉４の取り付け面２が傾斜している場合、前記ねじ１７を緩め、ガラス扉４が正規の状態で閉じられた方向に向くように前記２枚の羽根板５，６およびカム１１を回転支持金具８に対して動かして微調整し、かかる状態で回転支持金具８の両側からねじ１７を締め付ける。その状態を図５に示しており、カム１１は回転支持金具８およびベースプレート１に対して傾いた状態にセットされ、ガラス扉４は正規の状態で建物の出入り口を閉じるようになる。
【００１１】
なお、上記のように構成されたガラス扉の回転支持装置を用いて建物の出入り口を１枚のガラス扉４で閉じる場合は勿論のこと、２枚のガラス扉４で閉じる、所謂観音扉式に開閉されるガラス扉４で閉じる場合にも使用できることは言うまでもない。上記のように建物の出入り口を１枚のガラス扉４で閉じる場合はガラス扉４の他側部を出入り口枠に対してずれることなく位置合わせでき、２枚のガラス扉４で閉じる場合はガラス扉４の他側部同士がずれることなく位置合わせできるものである。また、上記のように構成されたガラス扉の回転支持装置は建物の内部と外部との出入り口の他、建物内における部屋の出入り口にガラス扉４を取り付ける場合に適用できる。さらに、上記の実施の形態では前記カム１１の湾曲状の凹部１２に当接する部材として球体１８を使用したが、凹部１２に当接する円弧面を持つ半球状の当接部材や、凹部１２に当接する円弧面を先端に持つ軸状の当接部材などを使用することも可能である。
【００１２】
以上図１〜図５に示す第１の実施の形態について述べたが、図６に示す第２の実施の形態のように回転支持金具８をベースプレート１の中央部から位置をずらして取り付けるようにしても良く、また図７に示す第３の実施の形態のようにガラス壁２７の側端部に取り付けられる固定側部材２８に回転支持装置がこの固定側部材２８と面一状となるように回転支持装置の回転支持金具８をねじ結合させるようにしても良く、さらに図８に示す第４の実施の形態のようにガラス壁２７の側端部に取り付けられる固定側部材２８に回転支持装置がこの固定側部材２８に対して直角となるように回転支持装置の回転支持金具８をねじ結合させるようにしても良い。
【図面の簡単な説明】
【００１３】
【図１】本発明の第１の実施の形態におけるガラス扉の回転支持装置の斜視図である。
【図２】同ガラス扉の回転支持装置の縦断面図である。
【図３】同ガラス扉の回転支持装置の横断面図である。
【図４】同ガラス扉の回転支持装置に使用される回転支持金具とカムの関係を示す斜視図である。
【図５】同ガラス扉の取り付け面が傾斜している場合の調整状態を示す拡大断面図である。
【図６】本発明の第２の実施の形態におけるガラス扉の回転支持装置の斜視図である。
【図７】本発明の第３の実施の形態におけるガラス扉の回転支持装置の斜視図である。
【図８】本発明の第４の実施の形態におけるガラス扉の回転支持装置の斜視図である。
【符号の説明】
【００１４】
１              ベースプレート
２              取り付け面
３              ビス
４              ガラス扉
４ａ            開口部
５，６          羽根板
７              軸
８              回転支持金具
９              ビス
１０              空洞部
１１              カム
１２              湾曲状の凹部
１３ａ，１３ｂ    円弧面
１４              窄まり部
１５              ねじ受け用凹部
１６              ねじ孔
１７              ねじ
１８              球体
１９              ばね
２０              ケーシング
２１              ビス
２２              蓋板
２３              ビス
２４              軸受け部
２５              ビス
２６              ゴムプレート
２７              ガラス壁
２８              固定側部材
【図１】
2008115604.tif 000003
【図２】
2008115604.tif 000004
【図３】
2008115604.tif 000005
【図４】
2008115604.tif 000006
【図５】
2008115604.tif 000007
【図６】
2008115604.tif 000008
【図７】
2008115604.tif 000009
【図８】
2008115604.tif 000010